(57)【要約】【課題】各ボックスカルバート間の接合部において、止水を確実に行えると共に、土砂の流入を確実に阻止できる弾性継手の提供。【解決手段】弾性継手１として止水部４とプレート部５とを一体形成し、接合部３の変形で生じる各ボックスカルバート２の接触による接合部３の損傷を防止するための弾性継手と、土砂の流入を阻止する耐圧プレートとを一体化した状態の構造として、弾性継手１の止水性能と、弾性継手１の変形性能（接合部の変形への追随性）とを向上させる。また、弾性継手１をプレート部５の本体５ａと止水部４を有する脚部５ｂとから断面略Ｔ字状に形成して、各ボックスカルバート２の間の接合部３へのセットを容易にする。【選択図】　　　図１
2004044189.tif 000002
【特許請求の範囲】
【請求項１】
軸方向に隣接して設置される複数個のボックスカルバートにおいて、その各ボックスカルバートの接合部に設けている弾性継手であり、
前記接合部に設けている弾性材の止水部と、各ボックスカルバートの外周面に前記接合部を覆うように設けている弾性材の土砂浸入阻止用のプレート部とを備えており、
前記プレート部は、ボックスカルバートの外周面に沿って配設されて前記接合部を覆っている板状の本体と、この本体から前記接合部内に延びる脚部とから断面略Ｔ字状に形成されていると共に、前記止水部は、前記プレート部の脚部に一体形成していることを特徴とするボックスカルバートの弾性継手。
【請求項２】
前記止水部は、その厚みを前記脚部の厚みの２倍以上にしていることを特徴とする請求項１記載のボックスカルバートの弾性継手。
【請求項３】
前記止水部は、その断面形状を円形状にしていることを特徴とする請求項１記載のボックスカルバートの弾性継手。
【請求項４】
前記止水部は、その断面形状を角形状にしていることを特徴とする請求項１記載のボックスカルバートの弾性継手。
【発明の詳細な説明】
【０００１】
【発明の属する技術分野】
この発明は、例えば、プレキャスト樋門の各函体としたボックスカルバートの接合部に設ける弾性継手に関するものである。
【０００２】
【従来の技術】
従来の弾性継手としては、例えば、ＣＲゴム材などで形成しており、プレキャスト樋門の各函体とした各ボックスカルバートの間の接合部に設けるものが知られている。そして、この弾性継手は、接合部の変形による接触で、各ボックスカルバートの接合部が損傷してしまうことを防止することにより、各ボックスカルバート（各函体）の接合部を変形できるようにした柔構造のプレキャスト樋門としている。
【０００３】
【発明が解決しようとする課題】
前述した従来の弾性継手では、各ボックスカルバート（各函体）の相対変位で生じる接合部の目開きによって、各ボックスカルバートの接合部への土砂の浸入を防止することができない。そして、この浸入した土砂は、接合部の曲げや剪断力による変形性能を損なう原因となる。
【０００４】
そのため、この土砂の浸入を防ぐためとして、従来では、各ボックスカルバート（各函体）の接合部の外周面に、別途、耐圧プレートを設置している。しかし、この耐圧プレートの設置は、施工現場での作業が多く、作業性のみならず安全性や品質について多くの課題を残していた。
【０００５】
また、前述した従来の弾性継手では、例えば、プレキャスト樋門の変形に追従して行われる、各ボックスカルバート（各函体）の間における接合部の止水を、必ずしも確実に行えるものではなかった。
【０００６】
この発明は前述した事情に鑑みて創案されたもので、その目的は各ボックスカルバートの接合部において、土砂の浸入を確実に阻止できると共に、止水を確実に行えるボックスカルバートの弾性継手を提供することにある。
【０００７】
【課題を解決するための手段】
この発明での弾性継手は、各ボックスカルバートの接合部に設けている弾性材の止水部と、各ボックスカルバートの外周面に接合部を覆うように設けている弾性材の土砂浸入阻止用のプレート部とを備えている。
【０００８】
そして、プレート部は、ボックスカルバートの外周面に沿って配設されて接合部を覆っている板状の本体と、この本体から接合部内に延びる脚部とから断面略Ｔ字状に形成されている。また、止水部は、プレート部の脚部に一体形成している。
【０００９】
このようなこの発明によれば、弾性継手として止水部とプレート部とを一体形成し、接合部の変形で生じる各ボックスカルバートの接触による接合部の損傷を防止するための弾性継手と、土砂の流入を阻止する耐圧プレートとを一体化した状態の構造としたことにより、弾性継手の止水性能と、弾性継手の変形性能（接合部の変形への追随性）とを向上させることができる。
【００１０】
また、この発明の弾性継手では、プレート部の本体と止水部を有する脚部とから、断面略Ｔ字状に形成されているので、各ボックスカルバートの間の接合部へのセットを容易に行うことができる。
【００１１】
【発明の実施の形態】
以下、この発明のボックスカルバートの弾性継手を図示する一実施形態によって説明する。
【００１２】
軸方向に隣接して設置される複数個のボックスカルバート２において、その各ボックスカルバート２間の接合部３に設けられる弾性継手１（図１〜図３参照）は、接合部３に設けている弾性材の止水部４と、各ボックスカルバート２の外周面に接合部３を覆うように設けている弾性材の土砂浸入阻止用のプレート部５とを備えている。
【００１３】
そして、プレート部５は、ボックスカルバート２の外周面に沿って配設されて接合部３を覆っている板状の本体５ａと、この本体５ａから接合部３内に延びる脚部５ｂとから断面略Ｔ字状に形成されている。また、止水部４は、プレート部５の脚部５ｂに一体形成している。
【００１４】
なお、図１〜図３において、符号６は、各ボックスカルバート２を一体化しているＰＣ緊張材である。
【００１５】
この実施形態でのプレート部５は、やや厚い板状の本体５ａと、この本体５ａの中央部から接合部３内に延びておりやや薄い板状の脚部５ｂとから、断面略Ｔ字状に形成されている。
【００１６】
この実施形態での止水部４は、その厚みを脚部５ｂの厚みの２倍以上にしていると共に、その断面形状を円形状にして、脚部５ｂの接合部３内側の端部に脚部５ｂと一体形成されている。即ち、この止水部４は、プレート部５と一体形成されている。
【００１７】
このように止水部４の厚みを脚部５ｂの厚みの２倍以上にしていると共に、止水部４の断面形状を円形状にすると、接合部３の変形に確実に追従させることができて、接合部３が変形しても止水効果を確実に維持できる。また、この止水部４としては、中空や水膨張ゴムとの併用も有効である。
【００１８】
なお、止水部４およびプレート部５を一体形成してなる弾性継手１の硬度としては、弾性変形領域を広く確保するために硬度３０〜１００（硬度５０程度が適切）にすることが考えられる。
【００１９】
また、弾性継手１の形態としては、単一材料で形成した形態や、中空構造にした形態や、中心をスポンジ状物質にした複合材料の形態が考えられる。
【００２０】
図３〜図５は、この発明の弾性継手１の別形態を示すものである。そして、図３は、プレート部５の脚部５ｂに一体形成している止水部４を方形状に形成したものである。また、図４は、その止水部４を八角形状に形成したものである。さらに、図５は、その止水部４を内部に中空部を有する円形状に形成したものである。
【００２１】
このような構成からなるこの発明の弾性継手１によれば、弾性継手１として止水部４とプレート部５とを一体形成し、接合部３の変形で生じる各ボックスカルバート２の接触による接合部３の損傷を防止するための弾性継手と、土砂の流入を阻止する耐圧プレートとを一体化した状態の構造としたことにより、弾性継手１の止水性能と変形性能（接合部の変形への追随性）とを向上させることができる。
【００２２】
また、この発明の弾性継手１では、プレート部５の本体５ａと止水部４を有する脚部５ｂとから、断面略Ｔ字状に形成されているので、各ボックスカルバート２の間の接合部３へのセットを容易に行うことができる。
【００２３】
【発明の効果】
この発明の弾性継手では、弾性継手として止水部とプレート部とを一体形成し、接合部の変形で生じる各ボックスカルバートの接触による接合部の損傷を防止するための弾性継手と、土砂の流入を阻止する耐圧プレートとを一体化した状態の構造としている。
【００２４】
そのため、弾性継手の止水性能と、弾性継手の変形性能（接合部の変形への追随性）とを向上させることができる。
【００２５】
また、この発明の弾性継手では、プレート部の本体と止水部を有する脚部とから、断面略Ｔ字状に形成されているので、各ボックスカルバートの間の接合部へのセットを容易に行うことができる。
【図面の簡単な説明】
【図１】（ａ）はこの発明のボックスカルバートの弾性継手を示しており、図２のＡ−Ａ線概略断面図で、（ｂ）は（ａ）のＢ部拡大断面図である。
【図２】この発明の弾性継手に設けたボックスカルバートを示す概略図である。
【図３】この発明の弾性継手の別形態を示す概略断面図である。
【図４】この発明の弾性継手の別形態を示す概略断面図である。
【図５】この発明の弾性継手の別形態を示す概略断面図である。
【符号の説明】
１…弾性継手、２…ボックスカルバート、３…接合部、４…止水部、５…プレート部、５ａ…本体、５ｂ…脚部、６…ＰＣ緊張材。
【図１】
2004044189.tif 000003
【図２】
2004044189.tif 000004
【図３】
2004044189.tif 000005
【図４】
2004044189.tif 000006
【図５】
2004044189.tif 000007